(57)【要約】  ゴルフボールの直進性を向上させたゴルフ用パターヘッド及びこれを含むゴルフ用パターのために、凸曲面からなる上部フェースを含む上部ヘッドと、前記上部ヘッドの下方に位置し、凸曲面からなる下部フェースを含む下部ヘッドとを含む、ゴルフ用パターヘッド及びこれを含むゴルフ用パターが提供される。
2019501001.tif 000002
【特許請求の範囲】
【請求項１】
凸曲面からなる上部フェースを含む上部ヘッドと、前記上部ヘッドの下方に位置し、凸曲面からなる下部フェースを含む下部ヘッドとを含むことを特徴とする、ゴルフ用パターヘッド。
【請求項２】
前記上部ヘッド及び前記下部ヘッドの中の少なくともいずれか一つは丸棒を含むことを特徴とする、請求項１に記載のゴルフ用パターヘッド。
【請求項３】
前記上部ヘッドの上部フェースの前方に最も突出した頂点の高さはゴルフボールの中心部の高さと同じか、または高く設定されることを特徴とする、請求項１に記載のゴルフ用パターヘッド。
【請求項４】
前記上部フェースの曲率半径は前記下部フェースの曲率半径より小さいか、または同じであることを特徴とする、請求項１に記載のゴルフ用パターヘッド。
【請求項５】
前記下部ヘッドはアドレス時、地面と隣接するトー部分とヒール部分が切り取り加工されたことを特徴とする、請求項１に記載のゴルフ用パターヘッド。
【請求項６】
ゴルフ用パターヘッドの重心が前記下部ヘッドに位置することを特徴とする、請求項１に記載のゴルフ用パターヘッド。
【請求項７】
前記下部ヘッドは少なくとも２本の丸棒からなることを特徴とする、請求項６に記載のゴルフ用パターヘッド。
【請求項８】
前記下部ヘッドは前記下部フェースの反対側に延長された延長部を含むことを特徴とする、請求項１に記載のゴルフ用パターヘッド。
【請求項９】
前記延長部はゴルフボールを拾い上げることができるように上方に曲がった先端を含むことを特徴とする、請求項８に記載のゴルフ用パターヘッド。
【請求項１０】
シャフトと結合され、前記上部ヘッドの前後方と連結されたブリッジ部をさらに含むことを特徴とする、請求項１に記載のゴルフ用パターヘッド。
【請求項１１】
前記上部フェース及び前記下部フェースの中の少なくともいずれか一つに備えられるインサートを含むことを特徴とする、請求項１に記載のゴルフ用パターヘッド。
【請求項１２】
前述の請求項１〜１１の中のいずれか一項のゴルフ用パターヘッドと、
前記ゴルフ用パターヘッドに結合されたシャフトと、
前記シャフトに結合されたグリップとを含むことを特徴とする、ゴルフ用パター。
【発明の詳細な説明】
【技術分野】
【０００１】
本発明はゴルフ用パターヘッド及びこれを含むゴルフ用パターに関し、さらに詳しくはゴルフボールの直進性を向上させたゴルフ用パターヘッド及びこれを含むゴルフ用パターに関する。
【背景技術】
【０００２】
一般的にゴルフクラブはウッド、アイアン、パターなどに区分され、これらのうちウッド及びアイアンは、それぞれ飛距離または打撃する角度によって様々な種類に区分されている。
【０００３】
前記ゴルフクラブのうちパターは主にグリーンの上で用いるものであり、ゴルフボールを打撃して最終的にゴルフボールをホールカップに入れるための用途として用いられるクラブである。このようなゴルフ用パターは、ゴルフボールを打つパターヘッドとパターヘッドに連結されるシャフト及びグリップからなる。パターヘッドは、胴体と同一構造の材質または胴体と打撃面をなす打撃部に区分されて形成されたものがあり、通常、胴体の場合、アルミニウム、ステンレス鋼、炭素鋼、黄銅、青銅、チタンなどの題材からなることができ、打撃部は青銅、チタン、タングステン合金、銅、ポリマーなどからなることができる。
【０００４】
パターヘッドの外形を見ると、胴体を中心として上部面、底面、前方打撃面、背面、トー（ｔｏｅ）及びヒール（ｈｅｅｌ）から形成されることができる。
【０００５】
パターの外形を基準として分類すれば、基本的にブレードパター（ｂｌａｄｅ  ｐｕｔｔｅｒ）とセンターシャフトパター（ｃｅｎｔｅｒ  ｓｈａｆｔ  ｐｕｔｔｅｒ）、そしてマレットパター（ｍａｌｌｅｔ  ｐｕｔｔｅｒ）に区分されることができる。ブレードパターは、重量がトーの方向に多く配分されたものであって、スイング軌道がイン・トゥ・イン軌道（ｉｎ  ｔｏ  ｉｎ  ｓｗｉｎｇ  ｐａｔｈ）を有する。センターシャフトパターは、シャフトがヘッドの中心に位置したものであって、スイング軌道がストレート軌道を有する。マレットパターは、ハンマー状となっているものであって、重量がヘッド全体に万遍なく配分されており、打撃面のどこに打撃を受けても一貫した方向にゴルフボールを移動させることができるものである。
【０００６】
また、パターヘッドにおいてゴルフボールを打撃する打撃面の場合、ロフト角度を形成しており、前記ロフト角度と前記打撃面に形成された形状によってゴルフボールを打撃または転がす形態が可能となる。
【０００７】
最近は、前述の基本的構造の他に多様な形状及び材質で発売されている。
【０００８】
図１によれば、一例として韓国特許登録第１０−０７４２１８６号に開示されたゴルフ用パターは、典型的なブレード型パターであって、平らなパターフェース３を有するブレード型パターヘッド２と、これに結合されたシャフト１を開示している。このようなブレード型パターは、平面のパターフェースに打撃された球状のゴルフボールに正確な直進回転力が加わらないという問題点がある。
【０００９】
他の例として、図２及び図３によれば、日本国実開昭５９−８２０６５号に開示された丸棒状のゴルフ用パター及び図３の韓国登録特許第１０−０７４２１８６号に開示されたパターは、円弧状のフェース面６、９を有するパターヘッド５、８を開示している。前記特許に開示されたパターヘッド５、８は球状体として形成されて正確な打点を合わせることが難しく、打球が転がる過程で飛び上がるという問題点がある。
【００１０】
また他の例として、図４によれば、韓国公開特許公報第２０００−６０５９２号に開示された円筒形ローラパター１３は、打撃フェースが球状体であるため、正確な打点を合わせることが難しく打球が転がる過程で飛び上がるという問題点があるだけでなく、円筒形ローラにベアリングが設置されるので、ベアリングの遊隔によりパッティングの正確度が落ちることがある。
【発明の概要】
【発明が解決しようとする課題】
【００１１】
本発明は前述のような問題点を含めて様々な問題点を解決するためのものであって、ゴルフボールの前方直進性を向上させたゴルフ用パターヘッド及びこれを含むゴルフ用パターを提供するものである。しかし、このような課題は例示的なものであり、これにより本発明の範囲が限定されるものではない。
【課題を解決するための手段】
【００１２】
本発明の一観点によれば、凸曲面からなる上部フェースを含む上部ヘッドと、前記上部ヘッドの下方に位置し、凸曲面からなる下部フェースを含む下部ヘッドとを含む、ゴルフ用パターヘッドが提供される。
【００１３】
本発明の一実施例に係るゴルフ用パターヘッドでは、前記上部ヘッド及び前記下部ヘッドの中の少なくともいずれか一つは丸棒を含むことができる。
【００１４】
また、本発明の一実施例に係るゴルフ用パターヘッドでは、前記上部ヘッドの上部フェースの前方に最も突出した頂点の高さはゴルフボールの中心部の高さと同じか、または高く設定されることができる。
【００１５】
また、本発明の一実施例に係るゴルフ用パターヘッドでは、前記上部フェースの曲率半径は前記下部フェースの曲率半径より小さいか、または同じであり得る。
【００１６】
また、本発明の一実施例に係るゴルフ用パターヘッドでは、前記下部ヘッドはアドレス時、地面と隣接するトー部分とヒール部分が切り出し加工されることができる。
【００１７】
また、本発明の一実施例に係るゴルフ用パターヘッドでは、前記ゴルフ用パターヘッドの重心が前記下部ヘッドに位置することができる。
【００１８】
また、本発明の他の実施例に係るゴルフ用パターヘッドでは、前記下部ヘッドは少なくとも２本の丸棒からなることができる。この場合には、上部フェースの曲率半径は下部フェースの曲率半径より大きいか、または同じであり得る。
【００１９】
また、本発明の他の実施例に係るゴルフ用パターヘッドでは、前記下部ヘッドは前記下部フェースの反対側へ延長された延長部を含むことができる。
【００２０】
また、本発明の他の実施例に係るゴルフ用パターヘッドでは、前記延長部はゴルフボールを拾い上げることができるように上方に曲がった先端を含むことができる。
【００２１】
また、本発明の他の実施例に係るゴルフ用パターヘッドでは、シャフトと結合され、前記上部ヘッドの前後方と連結されたブリッジ部をさらに含むことができる。
【００２２】
また、本発明の他の実施例に係るゴルフ用パターヘッドでは、前記上部フェース及び前記下部フェースの中の少なくともいずれか一つに備えられるインサートを含むことができる。
【００２３】
一方、本発明の他の一観点によれば、前述のゴルフ用パターヘッドと、前記ゴルフ用パターヘッドに結合されたシャフトと、前記シャフトに結合されたグリップとを含む、ゴルフ用パターが提供される。
【発明の効果】
【００２４】
前記のようになされた本発明の一実施例によれば、ゴルフボールの前方直進性を向上させたゴルフ用パターヘッド及びこれを含むゴルフ用パターを具現することができる。もちろん、このような効果により本発明の範囲が限定されるものではない。
【図面の簡単な説明】
【００２５】
【図１】従来技術に係るゴルフ用パターを模式的に示した斜視図である。
【図２】従来技術に係るゴルフ用パターを模式的に示した斜視図である。
【図３】従来技術に係るゴルフ用パターを模式的に示した斜視図である。
【図４】従来技術に係るゴルフ用パターを模式的に示した斜視図である。
【図５】本発明の一実施例に係るゴルフ用パターヘッド及びこれを含むゴルフ用パターを模式的に示した斜視図である。
【図６】本発明の一実施例に係るゴルフ用パターヘッド及びこれを含むゴルフ用パターを模式的に示した側面図である。
【図７】本発明の他の一実施例に係るゴルフ用パターヘッド及びこれを含むゴルフ用パターを模式的に示した正面図である。
【図８】本発明の実施例に係るゴルフ用パターヘッド及びこれを含むゴルフ用パターの動作を模式的に示した動作図である。
【図９】本発明のまた他の一実施例に係るゴルフ用パターヘッド及びこれを含むゴルフ用パターを模式的に示した斜視図である。
【図１０】本発明のまた他の一実施例に係るゴルフ用パターヘッド及びこれを含むゴルフ用パターを模式的に示した側面図である。
【図１１】本発明のまた他の一実施例に係るゴルフ用パターヘッド及びこれを含むゴルフ用パターを模式的に示した側面図である。
【図１２】本発明のまた他の一実施例に係るゴルフ用パターヘッド及びこれを含むゴルフ用パターを模式的に示した正面図である。
【図１３】本発明のまた他の一実施例に係るゴルフ用パターヘッド及びこれを含むゴルフ用パターを模式的に示した斜視図である。
【図１４】本発明のまた他の一実施例に係るゴルフ用パターヘッド及びこれを含むゴルフ用パターを模式的に示した側面図である。
【図１５】本発明のまた他の一実施例に係るゴルフ用パターヘッド及びこれを含むゴルフ用パターを模式的に示した斜視図である。
【図１６】本発明のまた他の一実施例に係るゴルフ用パターヘッド及びこれを含むゴルフ用パターを模式的に示した側面図である。
【発明を実施するための形態】
【００２６】
以下、添付の図面を参照して本発明の実施例を詳しく説明すれば、次のとおりである。しかしながら、本発明は以下で開示される実施例に限定されるものではなく、互いに異なる多様な形態で具現されることができるものであり、以下の実施例は本発明の開示が完全となるようにし、通常の知識を有する者にとって発明の範囲を完全に知らせるために提供されるものである。また説明の便宜のために、図面においては構成要素の大きさが誇張または縮小されることができる。
【００２７】
本発明は多様な変更を加えることができ、様々な実施例を有することができるところ、特定の実施例を図面に例示し、詳細な説明に詳しく説明しようとする。しかしながら、これは本発明を特定の実施形態に対して限定しようとするものではなく、本発明の思想及び技術範囲に含まれるすべての変更、均等物ないし代替物を含むものとして理解されるべきである。各図面を説明しながら類似の参照符号を類似の構成要素に対して使用した。
【００２８】
ある構成要素が他の構成要素に「連結されて」いるとか、「接続されて」いると言及された時には、その他の構成要素に直接的に連結されているか、または接続されていることもできるが、その中間に他の構成要素が存在することもできると理解されるべきである。一方で、ある構成要素が他の構成要素に「直接連結されて」いるとか、または「直接接続されて」いると言及された時には、その中間に他の構成要素が存在しないものとして理解されるべきである。
【００２９】
本出願において用いた用語は、単に特定の実施例を説明するために用いられたものであって、本発明を限定しようとする意図ではない。単数の表現は文脈上、特に断わらない限り、複数の表現を含む。本出願において、「含む」または「有する」などの用語は明細書上に記載された特徴、数字、段階、動作、構成要素、部品またはこれらを組み合わせたものが存在することを指定しようとしたものであり、一つまたはそれ以上の他の特徴や数字、段階、動作、構成要素、部品またはこれらを組み合わせたものの存在あるいは付加可能性を事前に排除しないものとして理解されるべきである。
【００３０】
特に断わらない限り、技術的または科学的な用語を含めて、ここで用いられるすべての用語は、本発明が属する技術分野において通常の知識を有する者により一般的に理解されるものと同じ意味を有している。一般的に用いられる辞書に定義されているような用語は、関連技術の文脈上、意味するところと一致する意味を有するものとして解釈されるべきであり、本出願において明白に定義しない限り、理想的または過度に形式的な意味として解釈されてはならない。
【００３１】
以下、本発明に係る好ましい実施例を添付の図面を参照して詳しく説明する。
【００３２】
図５は、本発明の一実施例に係るゴルフ用パターヘッド及びこれを含むゴルフ用パターを模式的に示した斜視図である。本実施例に係るゴルフ用パターは後述のゴルフ用パターヘッド２０、３０、ゴルフ用パターヘッドに結合されたシャフト７０及びグリップを含む。以下でシャフト７０とグリップは従来のものと同一または類似するので、以下ではゴルフ用パターヘッドについて詳しく説明する。
【００３３】
本発明の一実施例に係るゴルフ用パターヘッドは上部ヘッド２０と下部ヘッド３０とを含む。上部ヘッド２０は凸曲面からなる上部フェース２１を含む。そして下部ヘッド３０は上部ヘッド２０の下方に位置し、凸曲面からなる下部フェース３１を含む。 
【００３４】
ここで、上部フェース２１及び下部フェース３１はゴルフボール１００を打撃する面であって、上部ヘッド２０及び下部ヘッド３０の前面にそれぞれ配置される。上部ヘッド２０及び下部ヘッド３０の中の少なくともいずれか一つは、例えば、丸棒からなることができる。
【００３５】
より詳しく説明すれば、上部フェース２１は凸曲面であって、トーとヒールを通る延長線に垂直な断面上、円弧状または楕円の一部であり得る。また、下部フェース３１は凸曲面であって、トーとヒールを通る延長線に垂直な断面上、円弧状または楕円の一部であり得る。従って、上部ヘッド２０の前面は曲面の上部フェース２１であり、下部ヘッド３０の前面は曲面の下部フェース３１である。
【００３６】
この時、上部ヘッド２０と下部ヘッド３０は並んで配置されることができる。例えば、図５に示したように上部ヘッド２０と下部ヘッド３０は上下に並んで配置され、左右に延長されるように横置きされる。従って、上部ヘッド２０の中心と下部ヘッド３０の中心が、およそ地面２００に垂直な平面または重力の作用方向上に置かれることができる。図示によれば、上部ヘッド２０及び下部ヘッド３０はそれぞれ丸棒であるものと図示されているが、これに限定するものではない。
【００３７】
図６はゴルフ用パターヘッド及びこれを含むゴルフ用パターの側面を模式的に示した側面図である。図６の実施例において、上部フェース２１の曲率半径は図示のように下部フェース３１の曲率半径より小さくてもよい。従って、下部フェース３１はゴルフボール１００の進行方向に上部フェース２１より突出することができる。これに対する効果は図８で説明する。または、上部フェース２１の曲率半径は図示とは異なって下部フェース３１の曲率半径と同じであり得る。
【００３８】
一方、上部ヘッド２０と下部ヘッド３０はそれぞれ製造された後、嵌め合い、溶接などにより接合されたり、他の公知の方法により結合されることができる。また、上部ヘッド２０と下部ヘッド３０は一体に製作されることができるが、上部ヘッド２０と下部ヘッド３０を別個に製作して結合することもできる。この時、上部ヘッド２０と下部ヘッド３０を容易に結合するために、上部ヘッド２０の下面２２が平らになされ、下部ヘッド３０の上端部が平らになされることができる。従って、上部ヘッド２０の平らな下面２２と、下部ヘッド３０の平らな上面とを当接して、より正確かつ堅固に結合することができる。
【００３９】
図７によれば、ゴルフ用パターヘッド及びこれを含むゴルフ用パターは下部ヘッド３０の一部が切り出し加工されることができる。
【００４０】
具体的に下部ヘッド３０はアドレス時、地面２００と隣接するトー部分とヒール部分が切り出し加工されることができる。即ち、下部ヘッド３０は両下側部３２が切り出し加工されることができる。この時、下部ヘッド３０のトー部分とヒール部分は平面に切り出し加工されることもでき、緩やかで且つ凸曲面に切り出し加工されることができる。従って、ゴルフ用パターはパッティングの際、グリーンの上に自然に置かれて、ゴルファーに安定的なアドレスを提供し、快適性及び心理的な安定感を提供することができる。
【００４１】
図８は前述の実施例に係るゴルフ用パターヘッド及びこれを含むゴルフ用パターの動作を模式的に示した図面である。
【００４２】
ゴルフボール１００とゴルフ用パターヘッドの大きさを比較すると、ゴルフボール１００の直径は実質的に４２ｍｍであり、パターのフェース面の高さは一般的にゴルフボール１００の高さより低い。そして、パターでゴルフボール１００をパッティングする時、パターのフェース面がゴルフボール１００の中心部に打撃され、パターがゴルフボール１００を打撃した地点を過ぎながらパターヘッドは上昇運動することになる。このような点に鑑みると、本発明に係るゴルフ用パターの上部ヘッド２０の上部フェース２１の前方に最も突出した頂点の高さはゴルフボールの中心部の高さと同じか、または高く設定されることが好ましい。そして、本発明のゴルフ用パターの下部ヘッド３０の下部フェース２１の前方に突出した頂点の高さはゴルフボールの中心部の高さより低く設定される。ここで、高さはゴルフボール１００とゴルフ用パターヘッドが置かれた地面２００を基準として測定する。
【００４３】
続いて、打撃動作を図８を参照して説明する。
【００４４】
一般的に、ゴルフパッティング時には左目の下にゴルフボールを位置させた状態でパッティングすることになる。このような通常の方式でパッティングする場合に、上部ヘッド２０の上部フェース２１の前方に突出した頂点が先にゴルフボール１００の中心部または中心部に隣接した上端を打撃した後に上昇しながら、ゴルフボール１００をローリングさせて前方へ前進させる。この時、上部ヘッド２０の上部フェース２１の前方に突出した頂点と下部ヘッド３０の下部フェース３１の前方に突出した頂点とが同時にゴルフボール１００を打撃することもできる。
【００４５】
一方、本発明の一実施例に係るゴルフ用パターを利用してパッティングする場合に、ゴルフボールの位置によって、新たな効果を得ることができる。例えば、右目の下にゴルフボールを位置させた状態でパッティングをすると、パターの上部ヘッド２０の上部フェース２１の前方に突出した頂点と下部ヘッド３０の下部フェース３１の前方に突出した頂点がそれぞれゴルフボールの中心部の上端と下端を同時に、または連続的に打撃することができるので、直進性（ローリング）が向上することができる。また、ゴルフボールがグリーンエッジ（ｇｒｅｅｎ  ｅｄｇｅ）付近にある時には、ゴルフボールを左足側に位置させた状態でパッティングすると、チッピング機能が可能である。即ち、ゴルフボールが左足側にあるのでパターの下部ヘッド３０がゴルフボールの下を少し打ち上げてエッジ付近でチッピング（ｃｈｉｐｐｉｎｇ）パッティングが可能となる。 
【００４６】
また、他の実施例では、上部ヘッド２０の上部フェース２１の前方に突出した頂点がゴルフボール１００の中心部の隣接した下端を打撃することもできる。そして、下部ヘッド３０は上部ヘッド２０と同時または上部ヘッド２０より遅くれてゴルフボール１００を打撃する。特に、下部ヘッド３０はゴルフボール１００の中心線の下部分を接触打撃する。この時、下部ヘッド３０がゴルフボール１００を打撃しながら上昇する運動によりゴルフボール１００をローリングさせて前方へ前進させる働きをする。即ち、下部ヘッド３０はゴルフボール１００を中心線の下部分を上に上げながら打撃して、ゴルフボール１００に回転力をより円滑かつ正確に付与する。従って、本発明に係るゴルフ用パターでパッティングする時、１次的に上部ヘッド２０がゴルフボール１００を打撃しながらゴルフボール１００をローリングさせて前方へ前進させ、２次的に下部ヘッド３０が再びゴルフボール１００を打撃しながらゴルフボール１００のローリング運動と前方直進運動を増大させる。このように、本発明に係るゴルフ用パターを利用すると、パッティング時ゴルフボール１００の直進性を著しく向上させることができる。
【００４７】
図９は本発明のまた他の一実施例に係るゴルフ用パターヘッド及びこれを含むゴルフ用パターを模式的に示した斜視図であり、図１０の（ａ）は、図９のゴルフ用パターヘッド及びこれを含むゴルフ用パターの側面図である。
【００４８】
本実施例に係るゴルフ用パターヘッド及びこれを含むゴルフ用パターは後述の変更される部分を除けば、前述の実施例に係るゴルフ用パターヘッド及びこれを含むゴルフ用パターとほぼ同一または類似している。従って、以下で重複した説明を省略し、変更される部分を中心として説明する。以下、他の実施例においても同様である。
【００４９】
本実施例によれば、ゴルフ用パターヘッドの重心は前記下部ヘッド３０に位置することができる。例えば、下部ヘッド３０は上部ヘッド２０より重い材質であるか、または材質が同一であっても体積が大きく製作されることができる。または、上部ヘッド２０の内部が空になるように製造されるか、または下部ヘッド３０に鉛など重金属を付着して重心を下部ヘッド３０に位置させることができる。しかし、パターヘッドの重心はこれに制限されるものではなく、例えば、上部ヘッド２０に重心を置いて、下部ヘッド３０は半円形に製作することもできる。
【００５０】
他の例として、図示のようにゴルフ用パターは上部ヘッドの下部において、下部ヘッド３０と並んで配置された後方ヘッド４０をさらに含むことができる。即ち、ゴルフ用パターは下部に２本の丸棒を含むことができる。この場合には、上部フェースの曲率半径は下部フェースの曲率半径より大きいか、または同じであり得る。この時、下部ヘッド３０と後方ヘッド４０はアドレス時、地面２００に水平に配置されることができる。
【００５１】
下部ヘッド３０及び後方ヘッド４０は上部ヘッド２０より直径が小さてもよい。もちろん、これに限定するものではなく、場合によって各ヘッドの直径は多様に変更されることができる。また、下部ヘッド３０は上部ヘッド２０より前方に突出することができる。即ち、下部ヘッド３０の中心はゴルフボール１００の進行方向に上部ヘッド２０の中心より離隔されて位置することができる。下部ヘッド３０と後方ヘッド４０の重量の和は上部ヘッド２０より重くてもよい。即ち、重心は下部ヘッド３０と後方ヘッド４０のいずれか一つに位置するか、またはその間に位置することができる。さらに具体的に、下部ヘッド３０と後方ヘッド４０の重心を合わせた重心は上部ヘッド２０の重心と地面２００に垂直な線上に位置するか、または重力の作用線上に位置することができる。言い換えれば、ゴルフ用パターヘッドの全体的な形状は図示のように３本の丸棒からなる。そして、ほぼ同じ大きさである２本の丸棒に並んで配置され、その上部に直径の大きい１本の丸棒が配置される。この時、下部ヘッド２０、後方ヘッド４０及び上部ヘッド２０は溶接、接着剤などにより結合されるか、または一体に形成されることができる。もちろん、ゴルフ用パターヘッドの形状をこれに限定するものではなく、重心が上部ヘッドの重心の下部に位置するように多様な変形が可能である。従って、重心が下部ヘッド３０に位置するため、安定的なパッティングが可能である。
【００５２】
図１０の（ｂ）によれば、下部ヘッド３０はマレットパターヘッド形態からなることができる。具体的に下部ヘッド３０は前面に下部フェース３１が備えられた平たいバー形状からなることができる。特に、下部ヘッド３０の平らな面または緩やかな曲面からなることができる。さらに、下部ヘッド３０の後面も前面と同様に曲面からなることができる。もちろん、下部ヘッド３０の形状をこれに限定するものではない。この時、下部フェース３１の重量は上部フェース２１の重量より重く、ゴルフ用パターヘッドの重心は下部フェース３１に位置することになる。従って、下部ヘッド３０の下面が平面または緩やかな曲面からなって、容易に製造することができる。また、重心が下部ヘッド３０に位置して、ゴルファーはより安定的にパッティングすることができる。
【００５３】
図１０の（ｃ）によれば、下部ヘッド３０は下部フェース３１の反対側に延長された延長部５０をさらに含むことができる。ここで、延長部５０は下部ヘッド３０の下面から延長される。特に、延長部５０の上面は図示のように凹むか、または傾斜して形成されることができる。即ち、図示のように延長部５０は後方にその高さが次第に減少する形状からなることができる。この時、延長部５０の先端５１はグリーンにおいてゴルフボール１００を容易に持ち上げることができるように上方に曲がることができる。従って、ゴルファーは容易にゴルフボール１００を拾うことができるだけでなく、下部ヘッド３０の形状から安定的なパッティングが可能である。
【００５４】
図１１に図示された実施例に係るゴルフ用パターヘッド及びこれを含むゴルフ用パターを説明すれば、ゴルフ用パターヘッドは上部ヘッド２０の前後方と連結され、シャフト７０と結合されるブリッジ部７１をさらに含むことができる。より具体的に、ブリッジ部７１は上部ヘッド２０の前後方においてそれぞれ上方に延長される。そして、ブリッジ部７１は上部ヘッド２０に結合された端部の反対側の端部にシャフト７０と結合される。従って、ブリッジ部７１は側面から見た時、ほぼ「∧」形状をなすことができる。もちろん、ブリッジ部７１の形状をこれに限定するものではなく、上部ヘッド２０とシャフト７０を連結する他の形状ともなることができる。この時、ブリッジ部７１は上部ヘッド２０のいずれか一側面に結合される。もちろん、これに限定するものではなく、ブリッジ部７１は場合によって上部ヘッド２０の中央部に結合されることもできる。また、ブリッジ部７１は場合によってゴルフ用パターヘッドの左右方向に傾くこともできる。前述のように、ブリッジ部７１は上部ヘッド２０の前後方に付着されるので、パッティング時の安定感を向上させることができる。
【００５５】
図１２に図示された実施例に係るゴルフ用パターヘッド及びこれを含むゴルフ用パターは下部ヘッド３０の一部が切り出し加工されることができる。具体的に、下部ヘッド３０はアドレス時、地面２００と隣接するトー部分とヒール部分が切り出し加工されることができる。即ち、下部ヘッド３０は両下側部が切り出し加工されることができる。この時、下部ヘッド３０のトー部分とヒール部分は平面に切り出し加工されることもでき、緩やかで且つ凸曲面に切り出し加工されることができる。従って、ゴルフ用パターはパッティング時、グリーンの上に自然に置かれて、ゴルファーに安定的なアドレスを提供し、快適性及び心理的な安定感を提供することができる。
【００５６】
図１３及び図１４に図示された実施例に係るゴルフ用パターヘッド及びこれを含むゴルフ用パターは、上部フェース２１及び下部フェース３１の中の少なくともいずれか一つに備えられるインサート２５をさらに含むことができる。例えば、インサート２５、３５は図示のように上部フェース２１及び／または下部フェース３１の両方ともに並んで配列された複数のラバーまたは合成樹脂であり得る。この時、複数のラバーまたは合成樹脂は水平に延長され、上下に並んで配置されることができる。図示によれば、複数のラバーまたは合成樹脂は上部フェース２１及び下部フェース３１に備えられたが、これに限定するものではなく、上部フェース２１または下部フェース３１に備えられることもできる。このような複数のラバーまたは合成樹脂は摩擦力を金属材質のパターフェース面より向上させ、ゴルフボール１００においてより円滑にローリングを付与することができる。これにより、ゴルフ用パターヘッド及びゴルフ用パターはゴルフボール１００の前進回転力を増大させて直進性を向上させることができる。 
【００５７】
図１５に図示された実施例に係るゴルフ用パターヘッド及びこれを含むゴルフ用パターは、上部フェース２１及び下部フェース３１に形成された複数の突起２６を含むことができる。複数の突起２６、３６は上部フェース２１及び下部フェース３１のいずれか一つに形成されることができる。複数の突起２６の形状は図示のように水平に延長され、上下に並んで配置されることができる。もちろん、これに限定するものではなく、多様な形態で形成されることができる。複数の突起２６は例えば、ミーリング工程によって形成されることができる。このような複数の突起２６は摩擦力をより向上させ、ゴルフボール１００においてより円滑にローリングを付与することができる。これにより、ゴルフ用パターヘッド及びゴルフ用パターはゴルフボール１００の前進回転力を増大させて直進性を向上させることができる。
【００５８】
本発明は図面に示された実施例を参考として説明されているが、これは例示的なものに過ぎず、本発明が属する技術分野において通常の知識を有する者であれば、これにより多様な変形及び均等な他の実施例が可能であるという点を理解すべきである。従って、本発明の真正な技術的保護の範囲は添付された特許請求の範囲の技術的思想により決定されるべきものである。
【図１】
2019501001.tif 000003
【図２】
2019501001.tif 000004
【図３】
2019501001.tif 000005
【図４】
2019501001.tif 000006
【図５】
2019501001.tif 000007
【図６】
2019501001.tif 000008
【図７】
2019501001.tif 000009
【図８】
2019501001.tif 000010
【図９】
2019501001.tif 000011
【図１０（ａ）】
2019501001.tif 000012
【図１０（ｂ）】
2019501001.tif 000013
【図１０（ｃ）】
2019501001.tif 000014
【図１１】
2019501001.tif 000015
【図１２】
2019501001.tif 000016
【図１３】
2019501001.tif 000017
【図１４】
2019501001.tif 000018
【図１５】
2019501001.tif 000019
【図１６】
2019501001.tif 000020
【国際調査報告】
2019501001.tif 000021
2019501001.tif 000022
2019501001.tif 000023
2019501001.tif 000024